Podtech/llm-jp-corpus-v4-ja_patent huggingface dataset:
(57)【要約】【課題】コンクリート側溝の肩状支持部において嵌合され使用される溝蓋用グレーチングにおいて、コンクリート側溝の支持部とグレーチングの側板部、あるいはグレーチングの側板部同士の間に砂やゴミ、汚水が滞留することのなく、汚水が腐敗して悪臭を放つなどという問題を起こすことがないグレーチングを提供する。【解決手段】側板部に切り欠き部を設けたことを特徴とするグレーチング。切り欠き部は長方形か三角形が適当であり、グレーチングの側板部あたり２〜５個程度設けることが適当である。【選択図】　図１
0003098454.tif 000002
【実用新案登録請求の範囲】
【請求項１】
側板部に切り欠き部を設けたことを特徴とするグレーチング。
【考案の詳細な説明】
【０００１】
【考案の属する技術分野】
本考案は、溝蓋用グレーチングに関する。
【０００２】
【従来の技術】
道路や屋内通路にそって施設される側溝において、その集水作用を確保しながら開口面を覆い、歩行や車両の通行に供せしめる鋼製グレーチングは、従来から一般的に種々採用実施されてきている。すなわち、コンクリート側溝などの開放面に対して係合する枠材内に綱片をその幅方向と長さ方向にそって交叉状に組み込んだ蓋状部体であるグレーチングは、前記綱片をその幅方向と長さ方向にそって配列交叉したもので、路面における雨水や排水などを効率よく集水し、側構内に落とし込むことにより冠水を防ぎ、なおも開口部の蓋上において人や車両の通行に支障をきたさないようにするものである。
【０００３】
一般的な溝蓋用グレーチングにおいては、コンクリート側溝の肩状支持部において嵌合され使用されているが、その態様としては、固定安定化のためと、主として美観の観点から、きっちりと隙間なく固定されているのが通常である。
【０００４】
そのようにきっちりと固定されたグレーチングにおいては、コンクリート側溝の支持部とグレーチングの側板部、あるいはグレーチングの側板部同士の間に細かな砂、細かなゴミが溜まりやすく、その結果として側溝とグレーチングの隙間に汚水が滞留することになってしまっていた。これら汚水は、量は少ないものの腐敗しやすく、悪臭のもとになるなど衛生的に問題となるものであった。
【０００５】
【考案が解決しようとする課題】
したがって本願考案の目的は、コンクリート側溝の支持部とグレーチングの側板部、あるいはグレーチングの側板部同士の間に砂やゴミ、ひいては汚水が滞留することのないグレーチングを提供することにある。
【０００６】
【課題を解決するための手段】
かかる目的を達成するための考案は、側板部に切り欠き部を設けたことを特徴とするグレーチングである。
【０００７】
【考案の実施の形態】
以下、本考案の構成を図１及び２に示す実施の形態に即して説明する。
図１は本考案の第一の実施の形態を示す斜視図である。グレーチングの長手方向側板部に長方形の切り欠き部を設けてある。切り欠き部の形状は特に限定されるものではないが、長方形又は三角形が製造上有利であると考えられる。切り欠き部の数も特に限定されることはないが、通常はグレーチングの側板部について１〜６個、好ましくは２〜５個が適当である。図２は本考案の第二の実施の形態を示す斜視図である。グレーチングの幅方向側板部に三角形の切り欠き部を設けてある。切り欠き部の形状や数は、第一の実施の形態と同様である。
【０００８】
【考案の効果】
以上説明した形態により、本考案のグレーチングは、コンクリート側溝の支持部とグレーチングの側板部、あるいはグレーチングの側板部同士の間に砂やゴミ、ひいては汚水が滞留することがなく、汚水が腐敗して悪臭を放つなどという問題を起こすことがない。
【図面の簡単な説明】
【図１】本考案の第一の実施の形態である。
【図２】本考案の第二の実施の形態である。
【図１】
0003098454.tif 000003
【図２】
0003098454.tif 000004
(57)【要約】【課題】拡大鏡として使用し得るコップの提供。【解決手段】底部の全部又は一部をレンズとした。【選択図】　　　図１
0003098460.tif 000002
【実用新案登録請求の範囲】
【請求項１】
底壁部の全部又は一部がレンズとなっていることを特徴とするコップ。
【請求項２】
レンズが凸レンズであることを特徴とする請求項１記載のコップ。
【考案の詳細な説明】
【０００１】
【考案の属する技術分野】
本考案は拡大鏡としても使用し得るコップに関する。
【０００２】
【従来の技術】
コップは、飲料の用に供するために汎用されている食器の一つであるが、従来は単に底壁部と側壁部とによって飲料収容部を形成していたに過ぎなかった。
そのため、従来のコップはあくまでも飲料の用に供する食器としての機能しか認められないのが実状であった。
【０００３】
【考案が解決しようとする課題】
本考案は斯かる従来の実状を鑑みてなされたものであり、食器としてのみならず、拡大鏡としても機能し得るコップを提供することを目的とする。
【０００４】
【課題を解決するための手段】
本考案は、コップの底壁部の全部又は一部をレンズとすることにより上記目的を達成したものである。
【０００５】
【考案の実施の形態】
以下本考案の実施の形態を図面と共に説明する。
【０００６】
図１は本考案コップの一例を示す概略断面説明図である。該図１において、１０はコップ本体１０で、底壁部１１と側壁部１２とによって構成されている。
【０００７】
底壁部１１は、この実施の形態においてはその全部が凸レンズとなっているが、底壁部１１の一部にレンズを形成したものであっても良い。
【０００８】
また、コップ本体１０の材質は、底壁部１１を含め、ガラスあるいは合成樹脂の何れであっても良い。
【０００９】
斯かる実施の形態に係るコップは、当該側壁部１２を把持部として利用し、底壁部１１、すなわちレンズを適宜文字等の拡大対象に位置合わせすることにより、拡大観察することができる。
【００１０】
【考案の効果】
本考案コップを用いれば、食器として利用し得ることは勿論、底壁部がレンズとなっているため、拡大鏡としても使用することができる。
【図面の簡単な説明】
【図１】本考案コップの概略断面説明図。
【符号の説明】
１０：コップ本体
１１：底壁部
１２：側壁部
【図１】
0003098460.tif 000003
(57)【要約】【課題】足から膝上まで覆うソックス状に形成し、ワンタッチで着脱できるので、車椅子に乗っている人が外出する場合や、室内の暖房が十分でない部屋で椅子に座って長い時間作業する人や勉強する学生にとって、脚全体を効果的に保温することができる脚保温カバーを提供するものである。【解決手段】キルティングなどの保温性生地２で、足から膝上まで覆うソックス状に形成したカバー本体３の、前面側を縦方向に開口し、この開口部４の両側の前面カバー５Ａ、５Ｂに面ファスナー６Ａ、６Ｂを取付けて、前面カバー５Ａ、５Ｂを重ねて面ファスナー６Ａ、６Ｂにより開閉自在に形成したことを特徴とするものである。【選択図】　　図１
0003098427.tif 000002
【実用新案登録請求の範囲】
【請求項１】
キルティングなどの保温性生地で、足から膝上まで覆うソックス状に形成したカバー本体の、前面側を縦方向に開口し、この開口部の両側の前面カバーに面ファスナーを取付け、両前面カバーを重ねて面ファスナーにより開閉自在に形成したことを特徴とする脚保温カバー。
【考案の詳細な説明】
【０００１】
【考案の属する技術分野】
本考案は車椅子に乗っている人や、椅子に座って作業したりする人の脚を保温するカバーに関するものである。
【０００２】
【従来の技術】
一般に、気温の低い季節に、車椅子に乗っている人が外出する場合、膝から足まで冷気にさらされるため膝掛けなどを掛けて保温している。しかしながら、単に膝の上に掛けて前側だけ保温しても、後側は冷気にさらされるため十分な保温ができない問題があった。また室内の暖房が十分でない工場で、椅子に座って作業している場合も、脚が冷える問題がある。
【０００３】
【考案が解決しようとする課題】
本考案は上記問題点を改善し、足から膝上まで覆うソックス状に形成し、しかも着脱が容易な脚保温カバーを提供するものである。
【０００４】
【課題を解決するための手段】
本考案の請求項１記載の脚保温カバーは、キルティングなどの保温性生地で、足から膝上まで覆うソックス状に形成したカバー本体の、前面側を縦方向に開口し、この開口部の両側の前面カバーに面ファスナーを取付け、両前面カバーを重ねて面ファスナーにより開閉自在に形成したことを特徴とするものである。
【０００５】
【考案の実施の形態】
以下本考案の実施の一形態を図１ないし図３を参照して詳細に説明する。図において１は脚保温カバーで、キルティングなどの保温性生地２で、足から膝上まで覆うソックス状にカバー本体３が形成されている。このソックス状カバー本体３の前面側を縦方向に開口し、この開口部４の一方の前面カバー５Ａの前面上下にに、ル−プ面を形成した面ファスナー６Ａ、６Ａを縦方向に取付けると共に、側面の上部と中段に面ファスナー６Ａ、６Ａを段違いに取付けてある。また他方の前面カバー５Ｂの平面に上下にフック面を形成した面ファスナー６Ｂ、６Ｂを縦方向に取り付けると共に、側面に２本の紐７、７を上部と中段に段違いに取付け、この紐７、７の先端側に面ファスナー６Ｂ、６Ｂを取付けたものである。またソックス状カバー本体３の足底部８には補強布９が取付けられている。
【０００６】
上記構成の脚保温カバー１を車椅子に乗った人に使用する時には、前面カバー５Ｂ、５Ａを左右に広げて開口部４から脚１０をソックス状カバー本体３内に入れる。この後、前面カバー５Ｂを前面カバー５Ａの上に重ねて面ファスナー６Ａ、６Ｂを係合させてから、前面カバー５Ｂに取付けた紐７の先端の面ファスナー６Ｂを、前面カバー５Ａに取付けた面ファスナー６Ａに係合させて固定する。
【０００７】
このように左右２個の脚保温カバー１に片脚ずつ入れて、足から膝上までを覆うと、脚保温カバー１は大きなソックス状に形成されているので、脚全体をキルティングなどの保温性生地２で囲って保温することができる。また足底部８には補強布９が取付けられているので、体重が掛かって擦れても耐久性がある。また脚保温カバー１を脱ぐ場合、前面カバー５Ｂを外して面ファスナー６Ｂを剥すだけで、ワンタッチで脱ぐことができる。
【０００８】
また室内の暖房が十分でない工場で、椅子に座って長い時間作業する人にも、本考案の脚保温カバー１を使用すれば、脚全体を保温することができる。また机に向かって勉強している学生なども、本考案の脚保温カバー１を使用すれば、部屋の温度を高くしないで下半身を暖めることができるので、頭寒足熱の状態で勉強の能率を上げることができる。また脚保温カバー１は片脚ずつ取付けるので、多少の不自由はあるが、履いたまま歩行することができ、膝掛けなどのように取り外す不便がない。また寒い季節に屋外でスポーツ観戦する時に使用すれば足腰の冷えを防止することができる。
【０００９】
なお上記説明では脚保温カバー１を片脚ずつ取付ける構造のものについて説明したが、両脚が入るように大きく形成しても良い。また保温性生地２はキルティングなどの綿を生地に挟んだものに限らず、毛布地で形成しても良い。
【００１０】
【考案の効果】
以上説明した如く本考案に係る脚保温カバーによれば、足から膝上まで覆うソックス状に形成し、ワンタッチで着脱できるので、車椅子に乗っている人が外出する場合や、室内の暖房が十分でない部屋で椅子に座って長い時間作業する人や勉強する学生にとって、脚全体を効果的に保温することができる。また片脚ずつ取付ける構造のものでは、履いたまま歩行することができ、膝掛けに比べて便利である。
【図面の簡単な説明】
【図１】本考案の実施の一形態による脚保温カバーを開いた状態を底面側から示す斜視図である。
【図２】図１に示す脚保温カバーの斜視図である。
【図３】図１に示す脚保温カバーを脚に取付けた状態を示す斜視図である。
【符号の説明】
１　　脚保温カバー
２　　保温性生地
３　　ソックス状カバー本体
４　　開口部
５Ａ　前面カバー
５Ｂ　前面カバー
６Ａ　面ファスナー
６Ｂ　面ファスナー
７　　紐
８　　足底部
９　　補強布
１０　脚
【図１】
0003098427.tif 000003
【図２】
0003098427.tif 000004
【図３】
0003098427.tif 000005
(57)【要約】　　　（修正有）【課題】隔壁を貫通する導体を隔壁の板厚に関係なく、絶縁物を取り付けることができる構造にする。【解決手段】斜線で示した絶縁物４突起部の円周部分を分割し、山部と谷部に分ける。絶縁物５の絶縁物も同様に、山部と谷部に分割する。絶縁物４の山部は絶縁物５の谷部、絶縁物５の山部は絶縁物４の谷部に互いにもぐり込める寸法関係にしておく。【選択図】　　　　図３
0003098429.tif 000002
【実用新案登録請求の範囲】
【請求項１】
本考案は図３と図４に示すように、斜線で示した絶縁物４の突起部の円周部分を分割し、山部６と谷部７に分け、絶縁物５も同様にしたものである。絶縁物４の山部６は絶縁物５の谷部７、絶縁物５の山部は絶縁物４の谷部に互いにもぐり込める寸法関係にすることで貫通導体１を隔壁３より絶縁することが出来る絶縁物。また、隔壁３の板厚Ｔが厚くても、従来通り図１で示した方法で使用することが出来る絶縁物。
【考案の詳細な説明】
【０００１】
【考案の属する技術分野】
本考案は金属筐体などの隔壁を貫通する導体を絶縁するための絶縁物に関する考案である。
【０００２】
【従来の技術】
図１は従来より用いられている絶縁物の構造で、貫通導体１はネジ部などをもった導体。締付けナット２でＴの厚さを持った隔壁３斜線部分は絶縁物４および絶縁物５で、貫通導体１を隔壁３から絶縁している。この構造のものは、絶縁物４の突起部の高さｔ１と絶縁物５の突起部の高さｔ２の合計より厚い寸法の隔壁には使用出来るが、それより薄い板厚の寸法を持った隔壁３には使用出来ない。
【０００３】
【考案が解決しようとする課題】
本考案は金属筐体などの隔壁を貫通する導体を隔壁の板厚に関係なく、絶縁するための絶縁物を取り付けるが出来る構造にすることである。
【０００４】
【課題を解決するための手段】
本考案は図３に示すように、斜線で示した絶縁物４突起部の円周部分を分割し、山部６と谷部７に分ける。絶縁物５の絶縁物も同様に、山部６と谷部７に分割する。絶縁物４の山部６は絶縁物５の谷部７、絶縁物５の山部６は絶縁物４の谷部７互いにもぐり込める寸法関係にしておくことで解決する。
【０００５】
【考案の実施の形態】
本考案は隔壁３の厚さの寸法Ｔが極めて大きい物から０に近いあらゆる状態で貫通導体１を隔壁３から絶縁することができる。
【０００６】
【実施例】
図３は本考案の隔壁近辺の断面図であり、図４は本考案の絶縁物を貫通方向と横方向から見た図である。図４に示すように、斜線で示した絶縁物４突起部の円周部分を分割し、山部６と谷部７に分ける。絶縁物５も同様に、山部６と谷部７に分割する。絶縁物４の山部６は絶縁物５の谷部７、絶縁物５の山部６は絶縁物４の谷部７に互いにもぐり込める寸法関係にすることで、　隔壁３の厚さの寸法Ｔが、絶縁物４および絶縁物５の突起部の山部６の寸法ｔより薄くても、絶縁物４或いは絶縁物５を回転捻り、絶縁物４の山部６は絶縁物５の谷部７に入り込み、貫通導体１を隔壁３より絶縁することが出来る。　また、隔壁３の板厚Ｔが厚くても、従来通り図１で示した方法で使用することができる。
【００７】
【考案の効果】
本考案は金属筐体などの隔壁を貫通する導体を隔壁の板厚に関係なく、絶縁するための絶縁物を取り付けるが出来る。
【図面の簡単な説明】
【図１】従来の隔壁近辺の断面図
【図２】従来の絶縁物を貫通方向と横方向から見た図
【図３】本考案の隔壁近辺の断面図
【図４】本考案の絶縁物を貫通方向と横方向から見た図
【符号の説明】
１　貫通導体
２　ナット
３　隔壁
４　絶縁物
５　絶縁物
６　山部
７　谷部
【図１】
0003098429.tif 000003
【図２】
0003098429.tif 000004
【図３】
0003098429.tif 000005
【図４】
0003098429.tif 000006
【手続補正書】
【提出日】平成15年7月7日(2003.7.7)
【手続補正１】
【補正対象書類名】明細書
【補正対象項目名】実用新案登録請求の範囲
【補正方法】変更
【補正の内容】
【実用新案登録請求の範囲】
【請求項１】
金属等の隔壁と貫通導体を接触させないために隔壁を挟んだ２体の絶縁物で、貫通導体に接する円周部分の突起部を山部と谷部に分割し、薄板の隔壁に使用する場合、２体の絶縁物の山部と谷部が互いに潜り込める構造にした隔壁用絶縁物。
(57)【要約】　　　（修正有）【課題】男性性器の長さを容易に計測することができるコンドームを提供する。【解決手段】コンドーム本体１にメモリ２、数値３を設ける。男性性器にコンドームを装着し、メモリ２の起点を亀頭に合わせることで男性性器の先端から末端までの長さを測定することが可能となる。【選択図】　図１
0003098479.tif 000002
【実用新案登録請求の範囲】
【請求項１】
性交時における最大の男性性器の長さを測定することを可能にするメモリ付きコンドームで、液溜め部分の終わりの位置からコンドームの末端までメモリが付いたもの。
【考案の詳細な説明】
【０００１】
【考案の属する技術分野】
本考案は、測定用のメモリを付されたコンドームに関するものである。
【０００２】
【従来の技術】
測定は、自慰行為時に個人で行われることが多く、自ら定規を用いて測定しなければならなかった。あるいはそうした労力、羞恥心から測定される機会が乏しかった。
【０００３】
【考案が解決しようとする課題】
性交時に測定を可能とすることで、従来の測定法に対する羞恥心や労力を軽減する。また、知的好奇心を煽り、コンドームの装着を促すことで性病予防と合目的な避妊を可能にする。
【０００４】
【課題を解決するための手段】
請求項に同じ。
【０００５】
【考案の実施の形態】
コンドーム本体に亀頭に当たるコンドーム表面部分からメモリ（ミリメートル、センチメートル、インチ）付し、数値を入れる。コンドーム装着時に容易に視覚確認ができるような色彩を使用し、場合によっては蛍光塗料を用いることが好ましい。
また、コンドーム本体に凹凸を着けることで立体的なメモリを付し、触覚によってメモリを読むことを可能にする方法も好ましい。
以下、添付図面に従って一実施例を説明する。図は本考案実施の一例を示すものである。一般コンドームと同様の方法でコンドーム１を男性性器に装着し、メモリ２の基点であるゼロセンチメートルが亀頭の先端部に現われるように調整をする。性交中に男性性器の勃起が最大と思われる時点で性交を一時中断し、目視により長さを図る。
【０００６】
【考案の効果】
考案は、射精直前の最大勃起時の長さを瞬時に且つ容易に測定することができるため、身体部位の一部であり、子孫の繁栄に欠かすことのできない重要な男性性器の長さ測定を促進するものである。そのことにより統一的な条件での正確なデータ収集が期待できる。また、男性性器の最大勃起時の長さは大衆の知的好奇心を煽り、それによりコンドームの使用を促進し、性病予防と合目的な避妊への効果が期待できる。
【図面の簡単な説明】
【図１】本考案のコンドーム型男性性器測定器の実施例を示す側面図である。メモリが突起によって付されたもの。
【図２】本考案のコンドーム型男性性器測定器の実施例を示す側面図である。メモリが着色による方法で付されたもの。
【符号の説明】
１　コンドーム本体
２　メモリ（センチメートル毎）
３　数値
【図１】
0003098479.tif 000003
【図２】
0003098479.tif 000004
(57)【要約】【課題】茹であげた麺を、容器に浸してさらす際、すすぎ水と一緒に麺が容器の外に溢れ出ないようにすること。【解決手段】茹で麺をさらす容器の上部に、水抜き穴を設けることにより、注水と逃げ水が一定に保たれ、麺をさらす作業が容易になる。【選択図】図１
0003098477.tif 000002
【実用新案登録請求の範囲】
【請求項１】
茹であげた麺類を鍋から容器に移し、冷水を注いでさらす際に麺のすすぎこぼれを防ぐために、容器の上部４分の１の範囲に逃げ水部分１を施し、尚かつ容器の上部は、持ち運びの際に負荷がかかるため、全体量を支えるための強度を付けた部分と、すすぎ水を滞留保水させる容器部分２からなる茹で麺さらし容器。
【考案の詳細な説明】
【０００１】
【考案の属する技術分野】
本考案は、比較的多量の茹で麺を、注水・流水のさらし作業を同時に実行出来る容器の開発加工技術に関する。
【０００２】
【従来の技術】
従来の方法は、茹で麺とすすぎ水とで容器を満杯にし、麺が流出しないように手で加減しながらさらし作業をしている。
【０００３】
【考案が解決しようとする課題】
従来の容器による作業では、すすぎ水の逃げ場がなく、容器の上部から繰り返し水の出し入れを実施するため、その都度、水と一緒に麺が流出し無駄と時間のロスが生じていた。
【０００４】
【課題を解決するための手段】
上記の問題点を解決するために、本考案は、従来使用されている容器とは異なる水の溜る部分と、水が流水する部分を、バランスよく設けることにより、麺の流出による損失、注水量と流水量の保持から、作業の無駄の除去簡素化が図れる。
【０００５】
【考案の実施の形態】
本考案は、容器本体の上部部分と下部部分を２分し、上部部分（４分の１程度）には、流水用水抜き穴を、下部部分（４分の３程度）には、保水用容器を一体化したものである。
【０００６】
上記上部部分の水抜き穴は、その範囲は４分の１とし、紋様ではいずれでもよく、水道水が毎分６リットル流れるので、その量を流水させるものであれば、効果的に作業ができる。
【０００７】
【実施例】
実施例について図面を参照して説明すると図３において、上部網目部分が水抜き穴で、下部容器部分が保水容器部分となる。
【０００８】
図４において、水道水を注水すると、容器内に移した麺が、さらされて、水抜き穴より水が流れ落ちる。
【０００９】
【考案の効果】
本考案は、以上説明したような形態で実施され、以下に記載されるような効果を発揮するものである。
【００１０】
茹で麺を、水を一杯に張った容器内に移し、そこに水道水を同時に注水し、勢いよく手を使用して、すすぎ水こぼれを気にせず、十分にさらすことができる効果がある。
【図面の簡単な説明】
【図１】茹で麺さらし容器の断面図である。
【図２】茹で麺さらし容器の平面図である。
【図３】容器に麺が入った状態を示す図面である。
【図４】容器の麺をさらしている状態を示す図面である。
【符号の説明】
１　水抜き穴部分を示すものである。
２　保水容器部分を示すものである。
【図１】
0003098477.tif 000003
【図２】
0003098477.tif 000004
【図３】
0003098477.tif 000005
【図４】
0003098477.tif 000006
(57)【要約】【課題】一本のタオルに二通りの機能を持たせて利便性を求め、また収納スペースの問題も緩和される。【解決手段】本考案はナイロン生地タオルと木綿生地タオルを表裏一体に縫い合わせ、異質のタオルを一本化することによってより便利になる。【選択図】　図３
0003098480.tif 000002
【実用新案登録請求の範囲】
【請求項１】
日常ごく普通に使われている木綿生地のタオルとナイロン製の垢すり用のタオルを表裏一体に接合したところを特徴とする垢すり付き二重タオル。
【考案の詳細な説明】
【０００１】従来タオルだけを持って風呂に入ったりシャワーを浴びたりする人が多かった、なかにはヘチマをタワシ代わりに垢すり用として使う人も希にいた、然し最近ではこの状況が一変して垢すり用としてナイロン製タオルとごく普通の木綿製タオルの二枚を使用する人が圧倒的に多くなってきた。家庭では人数分のタオルを狭いスペースに掛けきれずに整理に困ることも惹起される。これを解決するのが二重タオルです、このタオルはナイロン生地と木綿生地を表裏一体として接合して垢すりと通常の洗浄の二通りの使用を可能にする利便性を追求し、あわせてスペースの問題も解決され一挙両得の日用品です。
【考案の属する技術分野】
本考案は、垢すり用のタオルと洗浄用タオルを表裏一体化したタオルに関するものである。
【０００２】
【従来の技術】
垢すり用タオルと通常タオルは別々になっていた。
【０００３】
【考案が解決しようとする課題】
何時も風呂やシャワーを使用中に、異質の二種類の生地のタオルを使い分けることは実に面倒です。また旅行等で用途の異なるタオルを各々一本づつ人数分持って行くことは気持ちの上でも負担になり、また家庭でも前述のように狭いスペースでの整理の問題も解決しようとするものである。
【０００４】
【課題を解決するための手段】
本考案は、異質の生地の二枚のタオルを表裏一体に接合させることにより二通りの用途に使い分けられる機能を持たせて使用中に木綿タオルから垢すり用ナイロンタオルに取り替える煩雑さが解消され、整理整頓にも貢献できる。
【０００５】
【考案の実施の形態】
垢すり用として使用する浴用ナイロンタオルと木綿生地の浴用タオルを同じ大きさに採寸して縫い合わせて一本にまとめる。
【０００６】
【実施例】
以下、添付図面に従って実施例を説明する。１は垢すり用途のナイロン製浴用タオル、２は木綿製の浴用タオル、この二本を使用中に剥離しないように完全に表裏一体に縫い合わせる。３は完成図。
【０００７】
【考案の効果】
二本の異質の生地のタオルを一本にまとめることによって、より利便性を追求でき、又狭いスペースでの整理整頓が容易になる。
【図面の簡単な説明】
【図１】本考案の材料となるナイロン生地タオルの平面図
【図２】本考案の材料となる木綿生地タオルの平面図
【図３】本考案の垢すり兼用二重タオルの完成図
【符号の説明】
１ａ　ナイロン生地タオル
２ａ　木綿生地タオル
【図１】
0003098480.tif 000003
【図２】
0003098480.tif 000004
【図３】
0003098480.tif 000005
(57)【要約】【課題】本考案は近くに手を洗う場所が無い時に、手を洗う事が出来る。【解決手段】本考案はペットボトルのキャップ３ｃの中心に孔を開け、ゴムパッキング３ｄと、円い弁の中心に軸を付けたもの３ｅを通し、スプリング状のバネ３ｂを通して、抜け止め３ａを付けたキャップ３と、それを逆さまに吊るす袋２とフック１により、何処にでも引っ掛けて独りで手を洗う事が出来る。【選択図】　　図１
0003098497.tif 000002
【実用新案登録請求の範囲】
【請求項１】
不要となったペットボトルを使用して、押すことにより開閉するキャップに取替え、ネット状の袋とフックで逆さまに吊るし、手で押し上げる事により水が出ることを特徴とする手洗い用水タンク
【考案の詳細な説明】
【０００１】
【考案の属する技術分野】
本考案は、ペットボトルのキャップを取り替え、逆さに吊るす事で、簡易水タンクとして利用する、ペットボトルの再利用に関するものである。
【０００２】
【従来の技術】
アウトドア用のポリタンク等を利用するか、水道を利用していた。
【０００３】
【考案が解決しようとする課題】
キャンプなどのアウトドアもそうであるが、建設業や電気工事業など現場作業やサービス業において、手を洗いたい時に近くに水道がない場合、お客様宅で借り難いなど、車に積んで置けば、スペースもあまり取らずに、簡単に素早く、人の手を借りずに洗うことができる。
【０００４】
【課題を解決するための手段】
本考案は、ペットボトルのキャップに孔を開け、弁を取り付け通常はバネにより蓋が閉まり、軸を押さえる事により弁が開くキャップと、それを逆さに吊るすネット状の袋と、引っ掛けるフックから成り、車では後部ドアのダンパーや、ルーフキャリア等、何処にでも引っ掛けて使用できる。ネット状の袋は２リッターサイズの物まで入る大きさで作り、ペットボトルのサイズを選ばず、中の水の量も一目で確認できる。
【０００５】
【考案の実施の形態】
空のペットボトルに水を入れ、本考案のキャップ３を閉めて車に載せておく。手を洗いたい時に専用の袋２に逆さまに入れて、バンタイプの車であれば後部ドアのダンパー（後のドアを支えているアーム）にフック１を引っ掛けて、後は下から出ているキャップ３の軸を押し上げると水が出てくるので、それで手を洗う。手を離すと水が止まるので必要な量だけ出せ、無駄水も少なく、ペットボトルは必要な量の入る大きさの物が選べ、入手も簡単である。一度使用後は、袋に入れたまま車内の邪魔にならない所へ引っ掛けておくか、正立にして載せておけば、次に使う時は引っ掛けるだけで使用できる。
【考案の効果】
上述の様に、本考案の手洗い用ペットボトルを車両に積んで置けば、一日に数件廻るサービスマンや工事をする人たちは、手が汚れたまま作業を続けたり、次のお客様に訪問する事がなくなり、イメージも良くなる。
【図面の簡単な説明】
【図１】本考案の手洗い用ペットボトルの使用時における正面図。
【図２】本考案のキャップの分解図である。
【符号の説明】
１　Ｓ型フック
２　ネット状の袋
２ａ　上記２の袋の底にはキャップ部分が通るだけの穴があいている。
３　キャップ
３ａ　抜け止用リング
３ｂ　スプリングバネ
３ｃ　キャップ部
３ｄ　ゴムパッキング
３ｅ　軸つき弁
【図１】
0003098497.tif 000003
【図２】
0003098497.tif 000004
(57)【要約】【課題】アルミサッシ等の全ての溝や狭いところを簡単にきれいに掃除する掃除用ブラシと容器に関するものである。又、容器の中の水を出しながらブラシで同時に洗い流し、水の量も適量を加減しながら出せる。【解決手段】蓋（３）が取り外し可能な容器（５）の蓋（３）の表面に、中央に向けた毛足の長いブラシ（１）を植毛し、前記蓋（３）の中央に前記ブラシ（１）の毛先よりも短いポイト（２）を設けたブラシ（１）を容器（５）の先端に備えた掃除用具。又、取り外し可能なスポイト（２）を備えたブラシ（１）付き蓋（３）を締めた容器（５）は３５０〜５００ｍｌの水の容量が入る持ちやすい大きさのもので、容器（５）中央の周囲はややくびれ（７）ていて、その一箇所に楕円形の取っ手（６）を付けた蓋（３）付き容器（５）の掃除用具。【選択図】　　　図２
0003098499.tif 000002
【実用新案登録請求の範囲】
【請求項１】
蓋が取り外し可能な容器の蓋の表面に、中央に向けた毛足の長いブラシを植毛し、前記蓋の中央に前記ブラシの毛先よりも短いスポイトを設けたブラシを容器の先端に備えた掃除用具。
【請求項２】
取り外し可能なスポイトを備えたブラシ付き蓋を締めた容器は３５０〜５００ｍｌ位の水の容量が入る持ちやすい大きさのもので、容器中央の周囲はややくびれていてその一箇所に楕円形の取ってを付けた蓋付き容器の掃除用具。
【考案の詳細な説明】
【０００１】
【考案の属する技術分野】
アルミサッシ等の全ての溝や狭いところを簡単にきれいに掃除する掃除用ブラシに関するものである。又、容器の中の水を出しながらブラシで同時に洗い流し、水の量も適量を加減しながら出せる。
【０００２】
【従来の技術】
従来のアルミサッシ等の溝の掃除には、箒又は雑巾を使用していた。
【０００３】
【考案が解決しようとする課題】
従来の方法では、溝の隅々の汚れが落ちにくいという問題点を有していた。又、使用済みの歯ブラシでこすって水をホースで交互に流す方法も行われていたが、これも時間や手間もかかるという問題点を有していた。
【０００４】
【課題を解決するための手段】
本考案の要旨とするところは容器のビンの先に毛足の長いブラシを植毛し、蓋の中央に前記ブラシの毛先よりも短いスポイト付きの掃除用ブラシである。
【０００５】
【考案の実施の形態】
考案の実施の形態について図面を参照して説明する。容器（５）の蓋（３）には表面に毛足の長いブラシ（１）を植毛している。このブラシ（１）の毛先を蓋（３）の中央に向けて植毛していて、ブラシ（３）の上端は蓋（３）の上面と平行に切りそろえる。この蓋（３）の中央には、スポイト（２）を設けている。このスポイト（２）は、ポリ容器（５）の中の水や洗剤を外部に出すものであり、前記ブラシ（１）より短く構成されている。又、このスポイト（２）はサッシの溝の隅にたまった、ゴミ又は汚水などを吸い込んで、捨てる事が出来るものである。この容器には３５０〜５００ｍｌの水の容量が入る持ちやすい大きさのもので、水又は薄い洗剤を入れる。使用に際してはスポイト（２）とブラシ（１）のついた蓋（３）をしめ次に容器を逆さにしてブラシ部分を下にむける。この時、取っ手（６）に手を入れて中央の持ちやすくしたくびれ部分（７）を掴むと使いやすい。更に取っ手の上部に人差し指で支えるようにすると、手や腕にかかる重さの負担を軽減させる事ができる。又、容器（５）の中央を軽く押す事によって少量ずつ蓋（３）のスポイト（２）の先から、水が出てブラシを伝って水が流出し、アルミサッシ等の溝の汚れを取り去りながら水洗いも出来て見違えるほどきれいになる。蓋（３）は水の漏れないもので、ねじその他なんでもよい。毛の種類は、動物毛、形状記憶のブラシや植物繊維、椰子の実、プラスチック製、ナイロン製等なんでも良い。
【０００６】
蓋（３）は水が漏れないこと−ネジ、その他なんでも良い。ブラシ部分の毛の種類は動物毛、形状記憶のタワシや、植物繊維、プラスチック製、ナイロン製などがある。植毛の毛の位置は限定されないが、毛の向きはやや中央に向けて植毛した方が毛先が強化される為、更に効果的である。スポイトはブラシ部分より短く、蓋の中央に孔あけて容器の水が流出するように通過してブラシに浸透させる。プラスチック製、他材質、孔の大きさは調節可能である。
【０００７】
【考案の効果】
本考案は、アルミサッシの敷居は勿論、サッシの縦の部分、又は台所、洗面所、風呂場の水道の蛇口の付け根の裏やその回り、及び自転車の輪の内外、更に車の浮き文字ナンバープレート、アルミホイール、等の簡単掃除、門の扉の唐草模様そして、歯磨き用コップ底洗い、等等応用を考えれば更に多くの応用が可能である。又、ポリ容器に絵を描くことにより、更に楽しい効果を発揮する。
【図面の簡単な説明】
【図１】蓋の平面図である
【図２】全体の断面図である
【符号の説明】
１ブラシ
２スポイト
３蓋
４ネジ部
５容器
６取っ手
７くびれ
【図１】
0003098499.tif 000003
【図２】
0003098499.tif 000004
(57)【要約】【課題】製品の体積を増やさずに有効な放熱効果を得るバックライト付ＬＣＤ専用放熱装置を提供する。【解決手段】バックライト付ＬＣＤ専用放熱装置は、金属基板１１、ＬＥＤ１２、バックライト１３、ＬＣＤ１４、反射紙１５および納置ケース１６を有する。金属基板１１と効率性の高いＬＥＤ１２とは接続され、ＬＥＤ１２はバックライト１３に密着する。これらは銅、アルミなどで製造された金属納置ケース１６内に収容される。バックライト１３上にはＬＣＤ１４が被せられ、バックライト１３の底部には反射紙１５が設置される。納置ケース１６と金属基板１１の一側面とは、導熱粘着剤で接着される。そのため、ＬＥＤ１２から発生した熱は、金属基板１１に吸収されて即座に納置ケース１６に伝えられ、金属納置ケース１６の表面で平均して放熱されるので、製品が熱を持ち続けない。【選択図】　図１
0003098463.tif 000002
【実用新案登録請求の範囲】
【請求項１】
効率性の高いＬＥＤが金属基板上に接続され、バックライトがＬＥＤに密着し、ＬＣＤがその上に被せられたバックライト付ＬＣＤ専用放熱装置において、
前述した部品が銅、アルミ材で作られた納置ケース内に入れられるものであって、金属基板の一側面と納置ケースとは密接に連接することを特徴とするバックライト付ＬＣＤ専用放熱装置。
【考案の詳細な説明】
【０００１】
【考案の属する技術分野】
本考案は、バックライト付ＬＣＤ専用放熱装置に関するものである。
【０００２】
【従来の技術】
今日、ＬＣＤで使用されるバックライトは、ほとんどがＬＥＤを光源にしている。図２に示すように、ＰＣ板２１上にＬＥＤ２２を接続し、バックライト２３側面にＬＥＤ２２を密着させ、光源をバックライト２３に導く。反射紙２５をバックライト２３底部に設置し、ＬＣＤ２４はバックライト２３に覆われ、光線が下から上に映し出される。ＬＣＤ２４の最も外側の層は、納置ケース２６によってロードされる。現在、ＬＣＤは、色彩及びサイズにおいて進歩している。
【０００３】
【考案が解決しようとする課題】
しかしながら、このようなバックライト付ＬＣＤは、ＬＥＤの効率について、考慮されておらず、製品内部で温度が上昇しているにも関わらず、放熱装置が増えていないので、製品寿命にも影響する。
本考案の目的はバックライト付ＬＣＤ専用放熱装置を提供することにある。
また、本考案の別の目的は、製品の体積を増やさずに有効な放熱効果を得るバックライト付ＬＣＤ専用放熱装置を提供することにある。
【０００４】
【課題を解決するための手段】
本考案の請求項１記載のバックライト付ＬＣＤ専用放熱装置によると、効率性の高いＬＥＤを金属基板上に接続し、バックライトをＬＥＤに密着させ、最後にＬＣＤをその上に被せる。前述した部品を銅、アルミ材で作られた納置ケース内に入れるものであって、金属基板の一側面と納置ケースとは密接に連接することを特徴とする。
【０００５】
【考案の実施の形態】
以下、本考案の一実施例を図面に基づいて説明する。
図１に示すように、効率性の高いＬＥＤ１２は金属基板１１上に接続されている。バックライト１３はＬＥＤ１２に密着し、銅、アルミ材で製造された金属納置ケース１６内に収容されている。金属基板１１の一側面と納置ケース１６とは、導熱粘着剤で接着されている。反射紙１５は、バックライト１３底部に設置され、ＬＣＤ１４はバックライト１３上に被せられている。
効率性の高いＬＥＤ１２から発生した熱は、金属基板１１に吸収された後、即座に金属納置ケース１６に伝えられ、熱は金属納置ケース１６の表面で平均して放熱されるので、製品が熱を持ち続けない。
【０００６】
【考案の効果】
以上説明したように、本考案のバックライト付ＬＣＤ専用放熱装置は、銅、アルミ金属で作られた納置ケースに金属基板を接続し、ＬＥＤで発生して金属基板に集められた熱を金属納置ケース表面から放熱するという特徴を有している。それにより、製品の体積を増やさずに有効な放熱効果を得るのに効果的である。
【図面の簡単な説明】
【図１】本考案の一実施例によるバックライト付ＬＣＤ専用放熱装置を示す概略図である。
【図２】従来のバックライト付ＬＣＤを示す概略図である。
【符号の説明】
１１　金属基板
１２　ＬＥＤ
１３　バックライト
１４　ＬＣＤ
１５　反射紙
１６　納置ケース
２１　ＰＣ板
２２　ＬＥＤ
２３　バックライト
２４　ＬＣＤ
２５　反射紙
２６　納置ケース
【図１】
0003098463.tif 000003
【図２】
0003098463.tif 000004
(57)【要約】【課題】はずしたゴルフクラブのヘッドカバーを、キズ・紛失・忘れ・濡れ・飛ばされから守るためクラブにすぐ装着できるよう、手元につけておくようにする。【解決手段】ハンガー１をゴルフクラブのヘッドカバー２につなぎ、ヘッドカバーをクラブからはずした際そのハンガー１をポケット４に差し込み、ぶら下げて身につけられるようにした。【選択図】　　　　図２
0003098412.tif 000002
【実用新案登録請求の範囲】
【請求項１】
ゴルフクラブのヘッドカバー２をひも等３でつなぎ、ポケットにつりさげられるハンガー１
【考案の詳細な説明】
【０００１】
【考案が解決しようとする課題】
本来、ゴルフクラブのヘッドカバーは、キズつき防止およびクラブの番手表示に使われるものであるが、プレー時にそのカバーをはずしたままでは他のクラブとの接触によりキズがつく。またショット地点から移動の際置き忘れが生じることもある。
【０００２】
【課題を解決するための手段】
上記目的を達成するために、ハンガーをズボンやスカートのポケットに差し込み、ヘッドカバーを手元に吊り下げておき、いつでもクラブに装着できるようにした。
【０００３】
【考案の効果】
ショットの終了時、すぐヘッドカバーが着けられるのでキズつきが防止でき、また置き忘れも解決できる。さらに地面に置かないため風雨時に飛ばされない・濡れない等の効果も期待できる。
【図面の簡単な説明】
【図１】ゴルフクラブのヘッドカバーとハンガーをつないだ斜視図である。
【図２】ハンガー使用時の断面図である。
【図３】ハンガーの平面図である。
【図４】ハンガーの断面図である。
【符号の説明】
１　ハンガー
２　ゴルフクラブのヘッドカバー
３　ひも
４　ポケット
５　ズボン・スカート
６　ひも穴
【図１】
0003098412.tif 000003
【図２】
0003098412.tif 000004
【図３】
0003098412.tif 000005
【図４】
0003098412.tif 000006
【手続補正書】
【提出日】平成15年7月22日(2003.7.22)
【手続補正２】
【補正対象書類名】明細書
【補正対象項目名】実用新案登録請求の範囲
【補正方法】変更
【補正の内容】
【実用新案登録請求の範囲】
【請求項１】
・　板状およびこれに類似する形のハンガー１と、ゴルフクラブのヘッドカバー２をひも等３でつなぎポケットにつり下げて使用するゴルフ用品
(57)【要約】　　　（修正有）【課題】幼児が楽しく年上の人達と一緒にゲームをするための条件は、先ず難しくないことと、誰でも平等であるということである。【解決手段】伏せた数字円板を起こして数字を知り、他盤の同数字の上に色別の円形板を置く、これは誰がしても全く同じであり、この動作は技術、経験は必要としないのである。即ち難しくなく平等である。【選択図】　　図１
0003098411.tif 000002
【実用新案登録請求の範囲】
【請求項１】
本考案はＡ盤とＢ盤の２盤と数字円板（裏側の中心部分に薄い円形の鉄板が埋めてある）とプラスチックパイプ（両端に磁石が挿入してある）とプラスチック容器と色別の円形板からなる。幼児も遊べる、はさみごっこゲーム用具である。
【考案の詳細な説明】
【０００１】
【考案の属する技術分野】
本考案は幼児が年上の人達と一緒になって、楽しく遊べるように考案した幼児も遊べる、はさみごっこゲーム用具に関するものである。
【０００２】
【従来の技術】
従来のはさみ将棋などは、自分で判断して行う仕組みであり、幼児には難しく一緒にゲームを楽しむなど不可能に近かった。
【０００３】
【考案が解決しようとする課題】
幼児が年上の人達と一緒に、楽しくゲームをするには、難しくなく、平等であることが条件である。この条件を満たすことによって、前述の従来の技術を解決しようとするものである。
【０００４】
【課題を解決するための手段】
幼児が難しくなく、平等である点を主眼として、Ａ盤とＢ盤の２盤に分けて、それぞれの役目を設定する。
Ａ盤に使用するものは、数字円板（裏側の中心部分に薄い円形の鉄板が埋めてある）とプラスチックパイプ（両端に磁石が挿入してある）とプラスチック容器である。Ｂ盤は数字が印刷された合板と色別円形板である。Ａ盤上に数字円板を裏返しにして、所定の場所に適当に置き、プラスチック容器で蓋をする。
ゲーム開始。自分で好きなところを選び、プラスチック容器の蓋をとり、数字円板の中心部分にプラスチックパイプの両端の片方をつけると、数字円板が吸い付き表面の数字が確認できる。その数字とＢ盤上の数字を照合し、その上に色別の円形板を置く。交互に繰り返すうちに縦、横、斜めの方向で他色の色別の円形板をはさんだ時に取得する。このように構成され誰でも平等で、難しくなく、幼児というハンデも解消されるのである。
【０００５】
【考案の実施の形態】
本考案はＡ盤とＢ盤の２盤と裏側の中心部分に薄い円形の鉄板を埋めこんだ数字円板と両端に磁石を挿入してあるプラスチックパイプとプラスチック容器と色別の円形板から構成されたものである。先ずゲームを始める前に数字円板を裏返しして混ぜ、所定の場所に適当に置き、その上にプラスチック容器で蓋をする。ゲーム開始。自分で好きなところを選び、プラスチック容器の蓋をとり、数字円板の中心部分に、プラスチックパイプの両端の片方をつけると、数字円板が吸い付き、表面の数字が確認できる。その数字とＢ盤上の数字を照合し、その上に色別の円形板を置く。これを交互に繰り返し、縦、横、斜めの方向で他色の色別の円形板をはさんだ時、その色別の円形板を取得するのである。ゲーム終了。双方で取得数を数え、多い方が勝つというものである。
これが本考案の幼児も遊べる、はさみごっこゲーム用具である。
【０００６】
【考案の効果】
本考案を従来の技術と比較対照すると、従来の技術は自分で判断して行う仕組であるから、幼児というハンデを考えた時、非常に難しく一緒に遊ぶことは不可能に近い。しかし本考案は誰でも見えない数字を起こして知り、その数字を他方の同数字と照合して、その上に色別の円形板を置くという、誰でも平等であり、技術、経験も必要としない。故に幼児というハンデも解消され、友達、家族と一緒に楽しむことができるのである。
【図面の簡単な説明】
【図１】Ａ盤とＢ盤の平面図である。
【図２】Ａ盤とＢ盤の側面図である。
【図３】１部はがしの斜視図である。
【図４】プラスチックパイプの平面図である。
【符号の説明】
１　　Ａ盤
２　　Ａ盤上の３、４収容の穴あき合板
３　　数字円板
４　　プラスチック容器
５　　Ｂ盤
６　　数字印刷合板
７　　色別円形板
８　　プラスチックパイプ
９　　磁石
【図１】
0003098411.tif 000003
【図２】
0003098411.tif 000004
【図３】
0003098411.tif 000005
【図４】
0003098411.tif 000006
【手続補正書】
【提出日】平成15年7月3日(2003.7.3)
【手続補正１】
【補正対象書類名】明細書
【補正対象項目名】請求項１
【補正方法】変更
【補正の内容】
【請求項１】
２個の盤と裏側の中心部分に薄い円形の鉄板が埋め込まれている数字円板と、両端に磁石が挿入してあるプラスチックパイプと、蓋用のプラスチック容器と、自他の色別円形板から構成された幼児も遊べる、はさみごっこゲーム用具である。
(57)【要約】　　　（修正有）【課題】表面が汚れたり、傷が付いたりすることのない装身具類収納ケースを提供する。【解決手段】長方形に形成したケース２の底面５に、略矩形状に形成した収納溝４を設けた台座３と、該台座３とケース２の側面との間に、Ｕ字形に形成し且つ外周を半円形６に形成した切込溝７を連続的に形成し、而して前記左右の切込溝７の両端に別個の止金収納室８を設けた。【選択図】　　　図１
0003098415.tif 000002
【実用新案登録請求の範囲】
【請求項１】
長方形に形成したケース（２）の底面（５）に、略矩形状に形成した収納溝（４）を設けた台座（３）と、該台座（３）とケース（２）の側面との間に、Ｕ字形に形成し且つ外周を半円形（６）に形成した切込溝（７）を連続的に形成し、而して前記左右の切込溝（７）の両端に別個の止金収納室（８）を設けた装身具類収納ケース。
【考案の詳細な説明】
本考案は、一般に女性が洋服を着用する場合に利用する機会が多い首飾り等を収納保管する時に使用することを目的とするもので、その一実施例を述べるならば、装身具としてたとえば真珠玉を用いた時にその表面に傷を付けたり又は、汚れたりして光沢がなくなったりするような粗雑な取り扱いをすることを事前に阻止することが出来なければならないのである。そこで、通常ネックレス用として使用されておる素材として最も多くも用いられておる周知の真珠玉を使用する様な場合には、その直径が約４ｍｍ乃至は５ｍｍのものが、最も適しておることに着目したもので、衣服類を損傷したりすること等の懸念を全くなくする等の利点を有する装身具類収納ケースを開発するに至ったものである。
【考案に属する技術分野】
本考案に係る装身具類収納ケースは、そもそもその構成部材として、発泡性合成樹脂系に属するポリエチレン樹脂を使用することによって、接着剤のみを用いて組立作業をすることが出来るので、特別な製造技術を必要とするものではないのである。
【従来の技術】
周知の通りネックレスの両端に止金具を取り付けて、この止金具をケース内に設けた受金に掛け止めする様にしたものであるから、たとえばハンドバック等に入れた状態でハンドバックを持ち運びすれば当然ハンドバック内で装身具がからみ合ったりすることが多々あり、そのために傷が付き光沢を失うようなことになり商品価値を著しく低下せしめる等の結果を招くことになるのである。
【考案が解決しようとする課題】
本考案によれば、函形のケースの底面に、側板の高さに等しい長方形の台座を設け、この台座に指輪あるいは、イヤリング等の比較的小形の装身具を挿し込むようにした収納溝を設けて、この収納溝に小形の装飾品類を一ヶ所にまとめて収納することが出来るようにしたものであるから、これらのものを紛失したり、置き忘れたりする様なことをなくすることが出来ることから無駄な時間を浪費するようなことを事前に排除することが出来るようにしたものである。
【考案の効果】
１、　組立てのために必要なネジ類、釘類、鋲類等の金属材料部品を一切使用しないから、この様な部品材料を必要としない。
２、　組立作業に要する時間を短縮することが出来る。
３、　作業能率を向上させることが出来る。
４、　安価に製造することが出来る等の工業的利点を有する。
【図面の簡単な説明】
【図１】・・・　平面図
【図２】・・・　切込溝にネックレスを押込んだ状態を示す平面図
【図３】・・・　図１のＡ−Ａ’線断面図
【符号の説明】
１　・・・　外箱　　　　　　　　　５　・・・　ケース底面
２　・・・　ケースの側板　　　　　６　・・・　半円形切込溝
３　・・・　台座　　　　　　　　　７　・・・　切込溝
４　・・・　収納溝　　　　　　　　８　・・・　止金収納室
９　・・・　ネックレス
１０　・・・　止金
【図１】
0003098415.tif 000003
【図２】
0003098415.tif 000004
【図３】
0003098415.tif 000005